(57)【要約】【課題】照度センサ付きの屋外用の照明装置に関して、各照明装置における点灯／消灯タイミングの容易な調整を可能とするとともに、複数の照明装置にける点灯／消灯タイミングの一致を簡素な通信構成で可能とする。【解決手段】屋外用の照明装置（１）は、光源（１０）の照射範囲外の環境照度を電圧信号に変換する照度センサ（１１）と、外部設定装置（２）から設定信号を受信する受信部（１３）と、電圧信号から検出電圧を取得する電圧取得部（１５１）と、設定信号から、点灯閾値及び消灯閾値を含む動作閾値を取得して動作閾値をメモリ（１５５）に記憶する閾値設定部（１５２）と、電圧取得部によって取得されている検出電圧が点灯閾値以下／以上となった場合に光源を点灯させ、電圧取得部によって取得されている検出電圧が消灯閾値を超えた／未満となった場合に光源を消灯させ点滅制御部（１５３）を備える。【選択図】  図１
2017091766.tif 000002
【特許請求の範囲】
【請求項１】
屋外用の照明装置であって、
光源の照射範囲外の環境照度を電圧信号に変換する照度センサと、
外部設定装置から設定信号を受信する受信部と、
前記電圧信号から検出電圧を取得する電圧取得部と、
前記設定信号から、点灯閾値及び消灯閾値を含む動作閾値を取得して該動作閾値をメモリに記憶する閾値設定部と、
（Ａ）前記環境照度の減少に対して前記検出電圧が減少する関係にある場合、前記電圧取得部によって取得されている検出電圧が前記点灯閾値以下となった場合に前記光源を点灯させ、前記電圧取得部によって取得されている検出電圧が前記消灯閾値を超えた場合に前記光源を消灯させ、（Ｂ）前記環境照度の減少に対して前記検出電圧が増加する関係にある場合、前記電圧取得部によって取得されている検出電圧が前記点灯閾値以上となった場合に前記光源を点灯させ、前記電圧取得部によって取得されている検出電圧が前記消灯閾値未満となった場合に前記光源を消灯させる点滅制御部と
を備えた照明装置。
【請求項２】
請求項１に記載の照明装置において、前記点灯閾値と前記消灯閾値とが等しい、照明装置。
【請求項３】
屋外用の照明装置であって、
光源の照射範囲外の環境照度を電圧信号に変換する照度センサと、
外部設定装置から設定信号を受信する受信部と、
前記電圧信号から検出電圧を取得する電圧取得部と、
前記設定信号受信時の前記検出電圧を動作閾値に設定して該動作閾値をメモリに記憶する閾値設定部と、
（Ａ）前記環境照度の減少に対して前記検出電圧が減少する関係にある場合、前記電圧取得部によって取得されている検出電圧が前記動作閾値以下となった場合に前記光源を点灯させ、前記電圧取得部によって取得されている検出電圧が前記動作閾値を超えた場合に前記光源を消灯させ、（Ｂ）前記環境照度の減少に対して前記検出電圧が増加する関係にある場合、前記電圧取得部によって取得されている検出電圧が前記動作閾値以上となった場合に前記光源を点灯させ、前記電圧取得部によって取得されている検出電圧が前記動作閾値未満となった場合に前記光源を消灯させる点滅制御部と
を備えた照明装置。
【請求項４】
請求項３に記載の照明装置において、前記設定信号が点灯設定信号及び消灯設定信号からなり、前記動作閾値が点灯閾値及び消灯閾値からなり、
前記閾値設定部が、前記点灯設定信号の受信時の前記検出電圧を前記点灯閾値に設定し、前記消灯設定信号の受信時の前記検出電圧を前記消灯閾値に設定するように構成され、
前記点滅制御部が、前記（Ａ）の場合、前記電圧取得部によって取得されている検出電圧が前記点灯閾値以下となった場合に前記光源を点灯させ、前記電圧取得部によって取得されている検出電圧が前記消灯閾値を超えた場合に前記光源を消灯させ、前記（Ｂ）の場合、前記電圧取得部によって取得されている検出電圧が前記点灯閾値以上となった場合に前記光源を点灯させ、前記電圧取得部によって取得されている検出電圧が前記消灯閾値未満となった場合に前記光源を消灯させるように構成された、照明装置。
【請求項５】
請求項３に記載の照明装置において、前記設定信号が点灯設定信号又は消灯設定信号からなり、前記動作閾値が点灯閾値及び消灯閾値からなり、
前記閾値設定部が、前記点灯設定信号の受信時の前記検出電圧を前記点灯閾値に設定するとともに該点灯閾値に基づいて前記消灯閾値を設定し、又は前記消灯設定信号の受信時の前記検出電圧を前記消灯閾値に設定するとともに該消灯閾値に基づいて前記点灯閾値を設定するように構成され、
前記点滅制御部が、前記（Ａ）の場合、前記電圧取得部によって取得されている検出電圧が前記点灯閾値以下となった場合に前記光源を点灯させ、前記電圧取得部によって取得されている検出電圧が前記消灯閾値を超えた場合に前記光源を消灯させ、前記（Ｂ）の場合、前記電圧取得部によって取得されている検出電圧が前記点灯閾値以上となった場合に前記光源を点灯させ、前記電圧取得部によって取得されている検出電圧が前記消灯閾値未満となった場合に前記光源を消灯させるように構成された、照明装置。
【請求項６】
照明システムであって、
請求項１から５のいずれか一項に記載の１以上の照明装置と、
前記設定信号を送信する外部設定装置と
を備えた照明システム。
【請求項７】
請求項６に記載の照明システムにおいて、前記外部設定装置が、前記照明装置の少なくとも１つの機種に対して複数の前記動作閾値を記憶し、ユーザ入力により前記複数の動作閾値のいずれかが選択されるように構成された、照明システム。
【請求項８】
請求項６又は７に記載の照明システムにおいて、前記外部設定装置が可搬の通信制御端末である、照明システム。
【請求項９】
請求項６又は７に記載の照明システムにおいて、前記外部設定装置が、
定点に固定されて前記外部設定装置の周辺の環境照度を検出する基準照度センサと、
前記基準照度センサによって検出される検出照度が基準点灯照度以下となった時点又は基準消灯照度を超えた時点で前記設定信号を生成する信号生成部と、
所定日に、又は所定日数ごとに前記信号生成部を作動させる校正管理部と、
前記設定信号を前記１以上の照明装置に送信する送信部と
を備える、照明システム。
【請求項１０】
請求項６又は７に記載の照明システムにおいて、前記外部設定装置が基準照明装置であり、該基準照明装置が、
自装置光源の照射範囲外の環境照度を検出する基準照度センサと、
前記基準照度センサによって検出される検出照度を取得する基準取得部と、
前記検出照度が基準点灯照度以下となった時点又は基準消灯照度を超えた時点で前記設定信号を生成する信号生成部と、
前記設定信号を前記１以上の照明装置に送信する送信部と、
前記検出照度が前記基準点灯照度以下となった場合に前記自装置光源を点灯させ、前記検出照度が前記基準消灯照度を超えた場合に前記自装置光源を消灯させるように構成された点滅制御部と
を備える、照明システム。
【請求項１１】
請求項１０に記載の照明システムにおいて、前記基準照明装置が、前記自装置光源の所定点滅回数ごとに、所定日数ごとに、又は所定日に前記信号生成部を作動させる校正管理部を更に備える、照明システム。
【請求項１２】
請求項９から１１いずれか一項に記載の照明システムにおいて、前記基準点灯照度と前記基準消灯照度とが等しい、照明システム。
【発明の詳細な説明】
【技術分野】
【０００１】
本発明は、屋外用の照明装置及びそれを用いた照明システムに関する。
【背景技術】
【０００２】
特許文献１は、照明負荷部と、照明負荷部の近傍の明暗状態を検出する明暗検出部と、予め設定された時間を計時するタイマ部と、各部を制御する制御部と、各部に関する各種の設定を行う設定操作部を有する照明装置を開示する。制御部は、明暗検出部からの明暗判定信号に基づいて照明負荷部の点灯状態を制御する。明暗検出部で明暗を判定するための基準値となる明暗判定値、及び照明負荷部の点灯状態が、タイマ部により区切られた複数の時間帯毎に可変とされる。
【０００３】
特許文献２は、管理装置と通信接続しているマスタ照明灯が、支配下にあるスレーブ照明灯の照明制御を行うシステムを開示する。マスタ照明灯は、他のマスタ照明灯が故障した場合に、他のマスタ照明灯の支配下にあったスレーブ照明灯を、自らの支配下にあるスレーブ照明灯に追加する追加部を有する。また、マスタ照明灯は、管理装置から受信した照明制御に関する指示に基づいて、スレーブ照明灯に対して照明制御を行う点灯制御部を有する。
【先行技術文献】
【特許文献】
【０００４】
【特許文献１】特許第３８８５３２８号公報
【特許文献２】特開２０１４−１３０６８１号公報
【発明の概要】
【発明が解決しようとする課題】
【０００５】
しかし、特許文献１のような照度センサ付きの屋外用照明装置には以下の問題がある。
まず、各照明装置において点灯／消灯タイミングが異なり得ることが問題となる。種々の機種の照明装置において、同じ照度センサを搭載していても照度センサの取付け位置、器具形状等によって照度センサの実質的感度は異なり得る。また、同じ照度センサを搭載した同じ機種の照明装置であっても、周囲の障害物（建物、樹木等）の陰になる等、設置環境の相異によっても照度センサの実質的感度は異なることになる。照度センサの実質的感度の標準値からのずれは、点灯／消灯タイミングのずれとなって現れる。ここで、各照明装置における照度センサの感度の調整は、照度センサ回路の抵抗値を変更する等、ハードウェアによって個別に行う必要があり、これにより生産効率が低下してしまう。したがって、各照明装置における点灯／消灯タイミングの個別の調整を容易化する技術が望まれる。
【０００６】
また、複数の照明装置が配列される場合の照明装置間の点灯／消灯タイミングのばらつきが問題となる。同型の照度センサを搭載した同一機種の複数の照明装置が配列される場合であっても、照明装置間での照度センサの感度ばらつき、又は上記のような設置環境の相異によって、点灯／消灯タイミングはばらつくことになる。ここで、特許文献２のシステムのように、通信によって各照明装置の点灯／消灯を逐次制御すれば点灯／消灯タイミングのばらつきは解消される可能性がある。しかし、点灯／消灯ごとに通信が行われると、通信トラフィックの増大による通信網への悪影響が懸念される。また、通信信号（特に点灯用信号）を送信する通信装置及び中継装置は毎日確実に動作する必要があるため、通信装置等においては、故障に備えた冗長な設計（特許文献２参照）及び厳重な保守が必要となり、更にはその移設、交換等も制限される。このように、照明装置を通信制御する場合には、通信構成の複雑化及び大規模化が問題となる。したがって、複雑で大規模な通信構成を用いることなく複数の照明装置の点灯タイミングを一致させる技術が望まれる。
【０００７】
そこで、本発明は、照度センサ付きの屋外用の照明装置及びそれを用いる照明システムに関して、各照明装置における点灯／消灯タイミングの容易な調整を可能とするとともに、複数の照明装置にける点灯／消灯タイミングの一致を簡素な通信構成で可能とすることを課題とする。
【課題を解決するための手段】
【０００８】
本発明の一形態の屋外用の照明装置は、光源の照射範囲外の環境照度を電圧信号に変換する照度センサと、外部設定装置から設定信号を受信する受信部と、電圧信号から検出電圧を取得する電圧取得部と、設定信号から、点灯閾値及び消灯閾値を含む動作閾値を取得して動作閾値をメモリに記憶する閾値設定部と、（Ａ）環境照度の減少に対して検出電圧が減少する関係にある場合、電圧取得部によって取得されている検出電圧が点灯閾値以下となった場合に光源を点灯させ、電圧取得部によって取得されている検出電圧が消灯閾値を超えた場合に光源を消灯させ、（Ｂ）環境照度の減少に対して検出電圧が増加する関係にある場合、電圧取得部によって取得されている検出電圧が点灯閾値以上となった場合に光源を点灯させ、電圧取得部によって取得されている検出電圧が消灯閾値未満となった場合に光源を消灯させる点滅制御部とを備える。
【０００９】
上記形態の屋外用の照明装置によると、照明装置ごとの点灯／消灯タイミングを設定信号に基づく外部的なメモリ書換えによって設定又は調整することが可能となる。これにより、照明装置の機種ごとに照度センサの取付け位置が異なる場合、又は照明装置ごとに設置環境が異なる場合であっても、同一のハードウェアをそれぞれの照明装置に適用して（すなわち、照度センサのための回路基板を改修又は交換することなく）個別に点灯／消灯タイミングを調整することが可能となる。また、複数の照明装置が設置される場合、一部の照明装置の点灯／消灯タイミングが残余の照明装置の点灯／消灯タイミングと異なる場合であっても、その一部の照明装置の点灯／消灯タイミングを事後的に、個別かつ容易に調整することが可能となる。そして、各照明装置は１回のみ又は非常に低い頻度で設定信号を受信すればよく、通信構成は簡素なもので実現可能である。このように、上記照明装置によると、各照明装置における点灯／消灯タイミングの容易な個別調整が可能となるとともに、複数の照明装置にける点灯／消灯タイミングの一致が簡素な通信構成で実現される。
【００１０】
ここで、点灯閾値と消灯閾値とは等しくてもよい。これにより、一層簡素な制御構成の照明装置が実現される。
【００１１】
本発明の他の形態の屋外用の照明装置は、光源の照射範囲外の環境照度を電圧信号に変換する照度センサと、外部設定装置から設定信号を受信する受信部と、電圧信号から検出電圧を取得する電圧取得部と、設定信号受信時の検出電圧を動作閾値に設定して動作閾値をメモリに記憶する閾値設定部と、（Ａ）環境照度の減少に対して検出電圧が減少する関係にある場合、電圧取得部によって取得されている検出電圧が動作閾値以下となった場合に光源を点灯させ、電圧取得部によって取得されている検出電圧が動作閾値を超えた場合に光源を消灯させ、（Ｂ）環境照度の減少に対して検出電圧が増加する関係にある場合、電圧取得部によって取得されている検出電圧が動作閾値以上となった場合に光源を点灯させ、電圧取得部によって取得されている検出電圧が動作閾値未満となった場合に光源を消灯させる点滅制御部とを備える。
【００１２】
上記形態の屋外用の照明装置によると、照明装置ごとの点灯／消灯タイミングを設定信号の受信タイミングに基づく外部的なメモリ書換えによって設定又は調整することが可能となる。これにより、照明装置の機種ごとに照度センサの取付け位置が異なる場合、又は照明装置ごとに設置環境が異なる場合であっても、同一のハードウェアをそれぞれの照明装置に適用して（すなわち、照度センサのための回路基板を改修又は交換することなく）個別に点灯／消灯タイミングを調整することが可能となる。また、複数の照明装置が存在する場合、照度センサ間で感度ばらつきがあったとしても、同じ設定信号を受信した照明装置は一致した点灯／消灯タイミングに調整されることになる。ここで、各照明装置は１回のみ又は非常に低い頻度で設定信号を受信すればよく、通信構成は簡素なもので実現可能である。このように、本実施形態の照明装置によると、各照明装置における点灯／消灯タイミングの容易な個別調整が可能となるとともに、複数の照明装置にける点灯／消灯タイミングの一致が簡素な通信構成で実現される。
【００１３】
ここで、設定信号が点灯設定信号及び消灯設定信号からなり、動作閾値が点灯閾値及び消灯閾値からなり、閾値設定部が、点灯設定信号の受信時の検出電圧を点灯閾値に設定し、消灯設定信号の受信時の検出電圧を消灯閾値に設定するようにしてもよい。代替的に、設定信号が点灯設定信号又は消灯設定信号からなり、動作閾値が点灯閾値及び消灯閾値からなり、閾値設定部が、点灯設定信号の受信時の検出電圧を点灯閾値に設定するとともに点灯閾値に基づいて消灯閾値を設定し、又は消灯設定信号の受信時の検出電圧を消灯閾値に設定するとともに消灯閾値に基づいて点灯閾値を設定するようにしてもよい。いずれの場合においても、点滅制御部は、上記（Ａ）の場合、電圧取得部によって取得されている検出電圧が点灯閾値以下となった場合に光源を点灯させ、電圧取得部によって取得されている検出電圧が消灯閾値を超えた場合に光源を消灯させ、上記（Ｂ）の場合、電圧取得部によって取得されている検出電圧が点灯閾値以上となった場合に光源を点灯させ、電圧取得部によって取得されている検出電圧が消灯閾値未満となった場合に光源を消灯させるように構成される。これにより、点灯タイミング及び消灯タイミングをそれぞれ最適なタイミングに設定することが可能となり、照明装置の設置環境に対応して柔軟な点灯／消灯タイミングの設定が可能となる。
【００１４】
本発明の照明システムは、１以上の上記いずれかの屋外用の照明装置と、設定信号を送信する外部設定装置とを備える。上述したように、照明装置における点灯／消灯タイミングの容易な個別調整を可能とする簡素な通信構成の照明システムが実現される。また、複数の照明装置が配列される場合においても、設定信号により点灯／消灯タイミングを設定又は調整することが可能となる。そして、設定信号の受信時に点灯／消灯タイミングが調整される形態においては、設定信号により各照明装置の照度センサの実質的感度を一致させることができるので、照明装置間における照度センサの感度ばらつき又は照明装置間の設置環境の相異にかかわらず、点灯／消灯タイミングを所望のタイミングに一致させることが可能となる。また、外部設定装置は１回のみ又は非常に低い頻度で設定信号を送信すればよく、通信構成の簡素化が実現される。
【００１５】
ここで、外部設定装置が、照明装置の少なくとも１つの機種に対して複数の動作閾値を記憶し、ユーザ入力により複数の動作閾値のいずれかが選択されるように構成されてもよい。これにより、動作閾値、すなわち点灯／消灯タイミングの柔軟な調整が可能となる。
【００１６】
ここで、外部設定装置は可搬の通信制御端末であってもよい。これにより、照明装置が設置された場所、すなわち現地での調整作業が容易となる。
【００１７】
また、外部設定装置が、定点に固定されて外部設定装置の周辺の環境照度を検出する基準照度センサと、基準照度センサによって検出される検出照度が基準点灯照度以下となった時点又は基準消灯照度を超えた時点で設定信号を生成する信号生成部と、所定日に、又は所定日数ごとに信号生成部を作動させる校正管理部と、設定信号を１以上の照明装置に送信する送信部とを備えていてもよい。これにより、照明装置間における照度センサの経時的な感度変化、センサ表面の汚れ、設置環境の変化等に起因する点灯／消灯タイミングのずれが校正される。
【００１８】
また、外部設定装置が基準照明装置であり、基準照明装置が、自装置光源の照射範囲外の環境照度を検出する基準照度センサと、基準照度センサによって検出される検出照度を取得する基準取得部と、検出照度が基準点灯照度以下となった時点又は基準消灯照度を超えた時点で設定信号を生成する信号生成部と、設定信号を１以上の照明装置に送信する送信部と、検出照度が基準点灯照度以下となった場合に自装置光源を点灯させ、検出照度が基準消灯照度を超えた場合に自装置光源を消灯させるように構成された点滅制御部とを備えていてもよい。これにより、照明装置のみで照明システムが構成されるので、照明システムの導入及び敷設が容易となる。
【００１９】
さらに、基準照明装置が、自装置光源の所定点滅回数ごとに、所定日数ごとに、又は所定日に信号生成部を作動させる校正管理部を備えていてもよい。これにより、照明装置間における照度センサの経時的な感度変化、センサ表面の汚れ、設置環境の変化等に起因する点灯／消灯タイミングのずれが校正される。
【００２０】
ここで、基準点灯照度と基準消灯照度とは等しくてもよい。これにより、外部制御装置における制御構成が簡素化される。
【図面の簡単な説明】
【００２１】
【図１】第１〜第４の実施形態による屋外用の照明装置及び照明システムのブロック図である。
【図２】第１の実施形態の照明装置の動作を示すフローチャートである。
【図３】第２の実施形態の照明装置の動作を示すフローチャートである。
【図４】第３の実施形態の照明装置の動作を示すフローチャートである。
【図５】第４の実施形態の照明装置の動作を示すフローチャートである。
【図６】第５の実施形態による屋外用の照明装置及び照明システムのブロック図である。
【図７】第６の実施形態による屋外用の照明装置及び照明システムのブロック図である。
【発明を実施するための形態】
【００２２】
＜第１の実施形態＞
図１に、第１の実施形態による屋外用の照明装置１及びそれを含む照明システム４のブロック図を示す。照明装置１は、街路灯、道路灯、防犯灯等に適用される屋外用照明装置である。照明システム４は照明装置１及び外部設定装置２を含み、照明装置１と外部設定装置２とは無線通信接続される。この無線通信は、電波、赤外線、可視光等によるもの、特定小電力無線等の汎用的な通信方式であればよい。
【００２３】
照明装置１は、ＬＥＤ１０（光源）、照度センサ１１及び電源装置１２を備える。
ＬＥＤ１０は、複数のＬＥＤ素子が直列接続又は直並列接続されたＬＥＤアレイであり、電源装置１２によって点灯又は消灯される。なお、照明装置１の各構成要素は、不図示の交流電源又は直流電源から適宜給電されているものとする。
【００２４】
照度センサ１１は、ＬＥＤ１０の照射範囲外の環境照度を検出するように配置される。例えば、照度センサ１１は、照明装置１の上部であってＬＥＤ１０の光が入射しない位置及び向きに（例えば上空に向けて）設置される。そして、照度センサ１１は、検出した環境照度を電圧信号に変換して、この電圧信号を電源装置１２（制御部１５）に供給する。
【００２５】
電源装置１２は、受信部１３、駆動部１４及び制御部１５を備える。
受信部１３は、外部設定装置２からの無線信号を受信可能に構成され、外部設定装置２からの設定信号を受信してこれを制御部１５に入力する。設定信号は、照明装置の機種と点灯閾値及び消灯閾値とを対応させた相関データを含む。以下、相関データを含む設定信号のことを相関データ信号ともいう。点灯閾値はＬＥＤ１０の点灯タイミングの決定のために上記電圧信号のＡ／Ｄ変換値と比較される電圧値であり、消灯閾値はＬＥＤ１０の消灯タイミングの決定のために上記電圧信号のＡ／Ｄ変換値と比較される電圧値である。ただし、本実施形態においては、点灯閾値と消灯閾値とは等しく、これにより、照明装置１の制御構成が簡素化される。点灯閾値及び消灯閾値をまとめて動作閾値というものとする。
【００２６】
駆動部１４は、整流回路１４０及びＤＣ／ＤＣコンバータ１４５を備え、制御部１５からの制御信号に応じてＬＥＤ１０を点灯又は消灯させる。ダイオードブリッジからなる整流回路１４０によって交流電源（不図示）からの入力電圧が全波整流され、その全波整流出力がＤＣ／ＤＣコンバータ１４５に入力される。ＤＣ／ＤＣコンバータ１４５は、全波整流入力を所定の直流電流に変換し、可変の直流電流をＬＥＤ１０に供給する。ＤＣ／ＤＣコンバータ１４５は、例えば、フライバックコンバータからなるスイッチング電源であってもよいし、昇圧チョッパ回路（力率改善回路）及び降圧チョッパ回路からなるスイッチング電源であってもよい。なお、駆動部１４に太陽電池、蓄電池等からの直流電圧が供給される場合には、整流回路１４０はダイオードに代替され、又は不要である。
【００２７】
制御部１５は、例えばマイコンからなり、ＣＰＵ１５０、Ａ／Ｄ変換部１５４及びメモリ１５５を備える。Ａ／Ｄ変換部１５４は、マイコンの外部に設けられてもよい。メモリ１５５はデータ及びプログラムを記憶するための不揮発性メモリであり、マイコンの外部に別途設けられてもよい。ＣＰＵ１５０は、電圧取得部１５１、閾値設定部１５２及び点滅制御部１５３備え、これらの各部及びメモリ１５５はバスＢによって相互に信号又はデータのやりとりが可能な態様で接続される。制御部１５には必要な入出力インターフェイスが適宜設けられているものとする。また、ＣＰＵ１５０は、上記各部に含まれない一般的な処理機能を適宜実行できるものとし、制御部１５は、メモリ１５５以外にも、通常のマイコンに含まれる他のメモリ（揮発性メモリ等）も含むものとする。
【００２８】
電圧取得部１５１は、照度センサ１１によって出力される電圧信号から検出電圧を取得する。具体的には、照度センサ１１からの電圧信号がＡ／Ｄ変換部１５４によってＡ／Ｄ変換され、このＡ／Ｄ変換された電圧が電圧取得部１５１によって取得される。したがって、Ａ／Ｄ変換部１５４を電圧取得部１５１の一部とみることもできる。なお、検出電圧は、環境照度の減少に対して減少するものであってもよいし、環境照度の減少に対して増加するものであってもよい。以降の説明においては、特に断りがない限り、検出電圧は、環境照度の減少に対して減少するものとする（すなわち、環境が暗いほど検出電圧が低いものとする）。
【００２９】
閾値設定部１５２は、受信された設定信号から相関データを抽出し、相関データにおいて規定される動作閾値を取得し、この動作閾値をメモリ１５５に記憶する。
【００３０】
点滅制御部１５３は、電圧取得部１５１によって取得されている検出電圧（以下、「現検出電圧」という）とメモリ１５５に記憶されている動作閾値を比較する。そして、点滅制御部１５３は、現検出電圧が動作閾値以下である場合に駆動部１４にＬＥＤ１０を点灯させ、現検出電圧が動作閾値を超える場合に駆動部１４にＬＥＤ１０を消灯させる。なお、環境照度の減少に対して検出電圧が増加する構成の場合には、点滅制御部１５３は、現検出電圧が動作閾値以上である場合に駆動部１４にＬＥＤ１０を点灯させ、現検出電圧が動作閾値未満である場合に駆動部１４にＬＥＤ１０を消灯させる。
【００３１】
外部設定装置２は処理部２０、入力部２１、送信部２２及び記憶部２３を備え、これらの各部はバスによって相互に信号及びデータのやり取りが可能な態様で相互接続される。外部設定装置２は、管理施設等に設置された通信制御端末であってもよいし、専用リモコン、ノートパソコン、携帯情報端末等の可搬の通信制御端末であってもよい。外部設定装置が可搬の通信制御端末である場合、照明装置１が設置された場所、すなわち現地での調整作業が容易となる。記憶部２３には、相関データ、すなわち照明装置１の機種ごとの動作閾値が記憶されている。入力部２１からのユーザ入力により機種が指定され、処理部２０がその機種に対応する相関データを取得して設定信号を生成し、送信部２２がこの設定信号を照明装置１に無線送信する。
【００３２】
また、同じ機種に対して複数の相関データが記憶されていてもよい。この場合、同じ機種に対する相関データとして、例えば、比較的高い動作閾値の相関データ、比較的低い動作閾値の相関データ、及びその中間の相関データが設けられる。このように、記憶部２３に照明装置１の少なくとも１つの機種に対して複数の動作閾値が記憶され、入力部２１からのユーザ入力により複数の動作閾値のいずれかが選択されるようにすることができる。これにより、動作閾値、すなわち点灯／消灯タイミングの柔軟な調整が可能となる。
【００３３】
設定信号が送受信されるタイミングは、照明装置１の組立時、組立後で出荷前、出荷後で設置前、設置時、設置後で使用前、使用開始時、又は使用開始後のいずれであってもよい。なお、使用開始後に設定信号が送受信される場合の初回点灯については、デフォルトの動作閾値がメモリ１５５に予め記憶され、点滅制御部１５３がデフォルトの動作閾値に従ってＬＥＤ１０を点灯及び消灯させるようにすればよい。
【００３４】
図２に、照明装置１の動作の一例のフローチャートを示す。本フローチャートは、照明装置１の使用開始後に設定信号が受信される場合の動作を示す。なお、電圧取得部１５１は、現検出電圧を逐次取得しているものとする。また、初回点灯の場合には、点滅制御部１５３は、デフォルトの動作閾値に従って点灯／消灯を行うものとする。
【００３５】
ステップＳ１０において、閾値設定部１５２が、設定信号（相関データ信号）の受信の有無を判別する。設定信号が受信された場合（ステップＳ１０、Ｙｅｓ）、処理はステップＳ１１に進み、それ以外の場合（ステップＳ１０、Ｎｏ）、処理はステップＳ１２に進む。
【００３６】
ステップＳ１１において、閾値設定部１５２が、受信された設定信号に含まれる相関データから動作閾値を取得し、この動作閾値をメモリ１５５に記憶する。これにより、閾値設定部１５２は、デフォルトの動作閾値、又は以前のステップＳ１１で決定された動作閾値を、今回のステップＳ１１において決定された動作閾値に更新する（すなわち、メモリ１５５を書き換える）。そして、処理はステップＳ１５に進む。
【００３７】
ステップＳ１５において、点滅制御部１５３が、現検出電圧が動作閾値以下であるか否かを判定する。現検出電圧が動作閾値以下である場合（ステップＳ１５、Ｙｅｓ）、ステップＳ１６において、点滅制御部１５３が、ＬＥＤ１０を点灯状態とするように駆動部１４を制御する。現検出電圧が動作閾値を超える場合（ステップＳ１５、Ｎｏ）、ステップＳ１７において、点滅制御部１５３が、ＬＥＤ１０を消灯状態とするように駆動部１４を制御する。ステップＳ１６及びＳ１７の後に、処理はステップＳ１０に戻る。  
【００３８】
なお、上記フローチャートから分かるように、設定信号による動作閾値の更新がＬＥＤ１０の点灯中に行われた場合には、更新された動作閾値は次回消灯時から有効となる。同様に、設定信号による動作閾値の更新がＬＥＤ１０の消灯中に行われた場合には、更新された動作閾値は次回点灯時から有効となる。
【００３９】
以上のように、本実施形態の照明装置１は、ＬＥＤ１０の照射範囲外の環境照度を電圧信号に変換する照度センサ１１と、外部設定装置２から設定信号を受信する受信部１３と、電圧信号から検出電圧を取得する電圧取得部１５１と、設定信号から動作閾値を取得して動作閾値をメモリ１５５に記憶する閾値設定部１５２と、現検出電圧が、メモリ１５５に記憶されている動作閾値以下である場合にＬＥＤ１０を点灯させ、現検出電圧が、メモリ１５５に記憶されている動作閾値を超える場合にＬＥＤ１０を消灯させる点滅制御部１５３を備える。そして、照明システム４は、上記の照明装置１及び外部設定装置２を含む。このように、照度センサ１１を有する屋外用の照明装置１において、外部設定装置２からの設定信号によって動作閾値が設定され、この動作閾値に基づいてＬＥＤ１０が点灯及び消灯される。
【００４０】
したがって、照明装置１ごとの点灯／消灯タイミングを、設定信号の相関データに基づく外部的なメモリ書換えによって設定又は調整することが可能となる。これにより、照明装置１の機種ごとに照度センサ１１の取付け位置が異なる場合、又は照明装置１ごとに設置環境が異なる場合であっても、同一のハードウェアをそれぞれの照明装置１に適用して（すなわち、照度センサ１１のための回路基板を改修又は交換することなく）個別に点灯／消灯タイミングを設定又は調整することが可能となる。また、複数の照明装置１が設置される場合、一部の照明装置１の点灯／消灯タイミングが残余の照明装置１の点灯／消灯タイミングと異なる場合であっても、その一部の照明装置１の点灯／消灯タイミングを事後的に、個別かつ容易に調整することが可能となる。各照明装置１は１回のみ又は非常に低い頻度で設定信号を受信すればよく、照明装置１及び照明システム４は簡素な通信構成で実施可能となる。
【００４１】
このように、本実施形態の照明装置１及び照明システム４によると、各照明装置１における点灯／消灯タイミングの容易な個別調整が可能となるとともに、複数の照明装置１にける点灯／消灯タイミングの一致が簡素な通信構成で実現される。
【００４２】
＜第２の実施形態＞
上記第１の実施形態では、１つの動作閾値（点灯閾値＝消灯閾値）が設定される構成を示したが、本実施形態では点灯用の点灯閾値及び消灯用の消灯閾値が個別に設定される構成を示す。本実施形態の照明装置１のブロック図は、図１に示した第１の実施形態のブロック図と同様である。本実施形態と第１の実施形態とは、閾値設定部１５２及び点滅制御部１５３の動作が異なり、他の構成要素の動作は両実施形態間で実質的に同様であるのでその重複する説明を省略する。
【００４３】
本実施形態では、設定信号（相関データ信号）は、照明装置の機種と点灯閾値及び消灯閾値とを対応させた相関データを含む。また、同じ機種に対して複数の相関データが設けられてもよい。この場合、同じ機種に対する相関データとして、例えば、比較的高い点灯閾値及び消灯閾値の相関データ、比較的低い点灯閾値及び消灯閾値の相関データ、その中間の相関データ、比較的高い点灯閾値及び比較的低い消灯閾値の相関データ、比較的低い点灯閾値及び比較的高い消灯閾値の相関データなどが設けられる。これにより、点灯閾値及び消灯閾値、すなわち点灯タイミング及び消灯タイミングの柔軟な調整が可能となる。
【００４４】
閾値設定部１５２は、受信された設定信号から相関データを抽出し、相関データにおいて規定される点灯閾値及び消灯閾値を取得し、これらの点灯閾値及び消灯閾値をメモリ１５５に記憶する。本実施形態においても、初回点灯及び初回消灯用にそれぞれのデフォルトの点灯閾値及び消灯閾値が予めメモリ１５５に記憶されていればよい。
【００４５】
点滅制御部１５３は、現在の点灯状態（すなわち、消灯中か点灯中かの別）及び検出電圧の移動方向（すなわち、検出電圧が低下傾向にあるのか上昇傾向にあるのかの別）を判別する。現在の点灯状態の判別は、点滅制御部１５３が駆動部１４に対して出力した直近の制御信号に基づいて行うことができる。この直近の制御信号は制御部１５内のいずれかのメモリに記憶されるものとする。検出電圧の移動方向の判別は、検出電圧の所定時間（日没又は夜明けを識別できる比較的長い時間）にわたる微分値を演算すること等によって実行される。あるいは、制御部１５が時計機能を有する場合には、点滅制御部１５３はこの時計機能を利用して、日の午後の時間帯には検出電圧が低下傾向あり、日の午前の時間帯には検出電圧が上昇傾向にあるものと擬制して判別することができる。
【００４６】
そして、点滅制御部１５３は、現検出電圧と点灯閾値又は消灯閾値とを比較する。そして、点滅制御部１５３は、消灯中に現検出電圧が低下して点灯閾値以下となったことを判定した時点で駆動部１４にＬＥＤ１０を点灯させ、点灯中に現検出電圧が上昇して消灯閾値を超えたことを判定した時点で駆動部１４にＬＥＤ１０を消灯させる。なお、環境照度の減少に対して検出電圧が増加する構成の場合には、点滅制御部１５３は、消灯中に現検出電圧が上昇して点灯閾値以上となったことを判定した時点で駆動部１４にＬＥＤ１０を点灯させ、点灯中に現検出電圧が低下して消灯閾値未満となったことを判定した時点で駆動部１４にＬＥＤ１０を消灯させる。
【００４７】
また、消灯閾値が点灯閾値よりも高い場合（すなわち、消灯時が点灯時よりも明るい場合）には、点滅制御部１５３による点滅動作においてヒステリシス特性が得られることになる。したがって、点滅制御部１５３は点灯状態及び検出電圧の移動方向を判別することなく、現検出電圧と点灯閾値／消灯閾値との比較のみによってＬＥＤ１０の点灯／点滅を実行することができる。すなわち、この場合、点滅制御部１５３は、第１の実施形態と同様に、現検出電圧が点灯閾値以下である場合に駆動部１４にＬＥＤ１０を点灯させ、現検出電圧が消灯閾値を超える場合に駆動部１４にＬＥＤ１０を消灯させる。
【００４８】
図３に、照明装置１の動作の一例のフローチャートを示す。なお、電圧取得部１５１は、現検出電圧を逐次取得しているものとする。本フローチャートは、照明装置１の使用開始後に設定信号が受信される場合の動作を示す。また、初回点灯の場合には、点滅制御部１５３は、デフォルトの動作閾値に従って点灯／消灯を行うものとする。
【００４９】
ステップＳ２０において、閾値設定部１５２が、設定信号（相関データ信号）の受信の有無を判定する。設定信号が受信された場合（ステップＳ２０、Ｙｅｓ）、処理はステップＳ２１に進み、それ以外の場合（ステップＳ２０、Ｎｏ）、処理はステップＳ３５に進む。
【００５０】
ステップＳ２１において、閾値設定部１５２が、受信された設定信号に含まれる相関データから点灯閾値及び消灯閾値を取得し、これらの点灯閾値及び消灯閾値をメモリ１５５に記憶する。これにより、閾値設定部１５２は、デフォルトの点灯閾値及び消灯閾値、又は以前のステップＳ２１で決定された点灯閾値及び消灯閾値を、今回のステップＳ２１において決定された動作閾値に更新する（すなわち、メモリ１５５を書き換える）。そして、処理はステップＳ３５に進む。
【００５１】
ステップＳ３５において、点滅制御部１５３が、ＬＥＤ１０が消灯状態にあるか否かを判別する。ＬＥＤ１０が消灯状態にある場合（ステップＳ３５、Ｙｅｓ）処理はステップＳ４０に進み、ＬＥＤ１０が点灯状態にある場合（ステップＳ３５、Ｎｏ）、処理はステップＳ５０に進む。
【００５２】
ステップＳ４０において、点滅制御部１５３が、検出電圧が低下しているのか否かを判別する。検出電圧が低下している場合（ステップＳ４０、Ｙｅｓ）、処理はステップＳ４１に進む。一方、検出電圧が上昇し、又は一定である場合（ステップＳ４０、Ｎｏ）、処理はステップＳ２０に戻る。
【００５３】
ステップＳ４１において、点滅制御部１５３が、現検出電圧が点灯閾値以下であるか否かを判定する。現検出電圧が点灯閾値以下である場合、すなわち、現検出電圧が低下して点灯閾値以下となった場合（ステップＳ４１、Ｙｅｓ）、ステップＳ４２において、点滅制御部１５３はＬＥＤ１０を点灯状態とするように駆動部１４を制御し、処理はステップＳ２０に戻る。一方、現検出電圧が点灯閾値を超えている場合（ステップＳ４１、Ｎｏ）、処理はステップＳ２０に戻る。
【００５４】
ステップＳ５０において、点滅制御部１５３が、検出電圧が上昇しているのか否かを判別する。検出電圧が上昇している場合（ステップＳ５０、Ｙｅｓ）、処理はステップＳ５１に進む。一方、検出電圧が低下し、又は一定である場合（ステップＳ５０、Ｎｏ）、処理はステップＳ２０に戻る。
【００５５】
ステップＳ５１において、点滅制御部１５３が、現検出電圧が消灯閾値を超えたか否かを比較する。現検出電圧が消灯閾値を超えた場合、すなわち、現検出電圧が上昇して消灯閾値を超えた場合（ステップＳ５１、Ｙｅｓ）、ステップＳ５２において、点滅制御部１５３はＬＥＤ１０を消灯状態とするように駆動部１４を制御し、処理はステップＳ２０に戻る。一方、現検出電圧が消灯閾値を超えている場合（ステップＳ５１、Ｎｏ）、処理はステップＳ２０に戻る。
【００５６】
なお、上記フローチャートから分かるように、設定信号は、点灯中又は消灯中に随時受信され得る。したがって、更新された点灯閾値は次回点灯時から有効となり、同様に、更新された消灯閾値は次回消灯時から有効となる。
【００５７】
以上のように、本実施形態の照明装置１によると、動作閾値が点灯閾値及び消灯閾値からなり、点滅制御部１５３は、現検出電圧が低下して点灯閾値以下となった時点でＬＥＤ１０を点灯させ、現検出電圧が上昇して消灯閾値を超えた時点でＬＥＤ１０を消灯させる。これにより、上記第１の実施形態で得られる有利な効果に加えて、点灯タイミング及び消灯タイミングをそれぞれ最適なタイミングに設定することが可能となり、照明装置１の設置環境に対応して柔軟な点灯／消灯タイミングの設定が可能となる。
【００５８】
＜第３の実施形態＞
上記第１の実施形態では、設定信号に含まれる相関データに基づいて動作閾値が設定される構成を示したが、本実施形態では、設定信号受信時の検出電圧に基づいて動作閾値が決定される構成を示す。これは、同型の照度センサを同じ照度下に置いた場合でも照度センサの感度のばらつきに起因して検出電圧値が異なり得る（それゆえ点灯／消灯タイミングがばらつき得る）ことを考慮して、環境照度と検出電圧とを直接的に相関させるものである。本実施形態の照明装置１のブロック図は、第１の実施形態のブロック図（図１）と同様である。本実施形態と第１の実施形態とは、閾値設定部１５２及び外部設定装置２の動作が異なり、他の構成要素の動作は両実施形態間で実質的に同様であるのでその重複する説明を省略する。
【００５９】
本実施形態では、設定信号は、ＬＥＤ１０の実際の点灯に対応するタイミング又は実際の消灯に対応するタイミングに送信される。以下、この設定信号のことをタイミング信号ともいう。閾値設定部１５２は、設定信号の受信の有無を判定し、受信された場合に設定信号受信時の検出電圧を動作閾値として設定し、この動作閾値をメモリ１５５に記憶する。その後、点滅制御部１５３は、現検出電圧が動作閾値以下である場合に駆動部１４にＬＥＤ１０を点灯させ、現検出電圧が上記動作閾値を超える場合に駆動部１４にＬＥＤ１０を消灯させる。
【００６０】
外部設定装置２においては、点灯又は消灯に対応するタイミングでの入力部２１へのトリガ入力に応じて、処理部２０が設定信号を生成し、送信部２２がこの設定信号を照明装置１に無線送信する。トリガ入力は、ユーザ入力により手動的に行われてもよいし、処理部２０内に保持される暦（日の入り時刻、日の出時刻等）のデータ及び現日時に基づいて自動的に行われてもよい。
【００６１】
なお、初回点灯については、デフォルトの動作閾値がメモリ１５５に予め記憶され、点滅制御部１５３がデフォルトの動作閾値に従ってＬＥＤ１０を点灯及び消灯させるようにすればよい。あるいは、初回点灯時に限り、点滅制御部１５３は設定信号の受信に応じてＬＥＤ１０を点灯させるようにしてもよい。この場合、点滅制御部１５３が駆動部１４にＬＥＤ１０を点灯させると同時に、閾値設定部１５２が、上述したように動作閾値を設定してそれをメモリ１５５に記憶させる。
【００６２】
図４に、照明装置１の動作の一例のフローチャートを示す。なお、電圧取得部１５１は、現検出電圧を逐次取得しているものとする。また、初回点灯の場合には、点滅制御部１５３は、デフォルトの動作閾値に従って点灯／消灯を行うものとする。
【００６３】
ステップＳ１２において、閾値設定部１５２が、設定信号（タイミング信号）の受信の有無を判別する。設定信号が受信された場合（ステップＳ１２、Ｙｅｓ）、処理はステップＳ１３に進み、それ以外の場合（ステップＳ１２、Ｎｏ）、処理はステップＳ１５に進む。
【００６４】
ステップＳ１３において、閾値設定部１５２が、設定信号受信時の検出電圧を動作閾値に設定し、この動作閾値をメモリ１５５に記憶する。これにより、閾値設定部１５２は、デフォルトの動作閾値、又は以前のステップＳ１３で決定された動作閾値を、今回のステップＳ１３において決定された動作閾値に更新する（すなわち、メモリ１５５を書き換える）。そして、処理はステップＳ１５に進む。
【００６５】
ステップＳ１５〜Ｓ１７は第１の実施形態に示したものと同様である。すなわち、ステップＳ１５において、現検出電圧が動作閾値以下である場合（ステップＳ１５、Ｙｅｓ）、ステップＳ１６においてＬＥＤ１０が点灯状態とされ、現検出電圧が動作閾値を超える場合（ステップＳ１５、Ｎｏ）、ステップＳ１７においてＬＥＤ１０が消灯状態とされる。ステップＳ１６及びＳ１７の後、処理はステップＳ１２に戻る。
【００６６】
なお、上記フローチャートから分かるように、設定信号による動作閾値の更新が点灯中に行われた場合には、更新された動作閾値は次回消灯時から有効となる。同様に、設定信号による動作閾値の更新が消灯中に行われた場合には、更新された動作閾値は次回点灯時から有効となる。
【００６７】
以上のように、本実施形態の照明装置１は、ＬＥＤ１０の照射範囲外の環境照度を電圧信号に変換する照度センサ１１と、設定信号を受信する受信部１３と、電圧信号から検出電圧を取得する電圧取得部１５１と、設定信号受信時の検出電圧を動作閾値に設定して動作閾値をメモリ１５５に記憶する閾値設定部１５２と、現検出電圧が、メモリ１５５に記憶されている動作閾値以下である場合にＬＥＤ１０を点灯させ、現検出電圧が、メモリ１５５に記憶されている動作閾値を超える場合にＬＥＤ１０を消灯させる点滅制御部１５３を備える。このように、照度センサ１１を有する屋外用の照明装置１において、外部設定装置２からの設定信号の受信時の検出電圧が動作閾値として設定され、この動作閾値に基づいてＬＥＤ１０が点灯及び消灯される。
【００６８】
したがって、照明装置１ごとの点灯／消灯タイミングを、設定信号の受信タイミングに基づく外部的なメモリ書換えによって設定又は調整することが可能となる。これにより、照明装置１の機種ごとに照度センサ１１の取付け位置が異なる場合、又は照明装置１ごとに設置環境が異なる場合であっても、同一のハードウェアをそれぞれの照明装置１に適用して（すなわち、照度センサ１１のための回路基板を改修又は交換することなく）個別に点灯／消灯タイミングを調整することが可能となる。また、複数の照明装置１が存在する場合、照度センサ１１間で感度ばらつきがあったとしても、同じ設定信号を受信した照明装置１は一致した点灯／消灯タイミングに調整されることになる。ここで、各照明装置１は１回のみ又は非常に低い頻度で設定信号を受信すればよく、照明装置１及び照明システム４は簡素な通信構成で実施可能となる。
【００６９】
このように、本実施形態の照明装置１及び照明システム４によると、各照明装置１における点灯／消灯タイミングの容易な個別調整が可能となるとともに、複数の照明装置１にける点灯／消灯タイミングの一致が簡素な通信構成で実現される。
【００７０】
＜第４の実施形態＞
上記第３の実施形態では、１つの動作閾値（点灯閾値＝消灯閾値）が設定される構成を示したが、本実施形態では点灯用の点灯閾値及び消灯用の消灯閾値が個別に設定される構成を示す。本実施形態の照明装置１のブロック図は、第１〜第３の実施形態のブロック図（図１）と同様である。また、本実施形態と第３の実施形態とは、閾値設定部１５２、点滅制御部１５３及び外部設定装置２の動作が異なり、他の構成要素の動作は両実施形態間で実質的に同様であるのでその重複する説明を省略する。
【００７１】
本実施形態では、設定信号は、ＬＥＤ１０の点灯タイミングを設定するための点灯設定信号、及びＬＥＤ１０の消灯タイミングを設定するための消灯設定信号からなる。以下、点灯設定信号及び消灯設定信号のことを総称してタイミング信号ともいう。動作閾値は点灯閾値及び消灯閾値からなる。すなわち、外部設定装置２は、点灯設定信号及び消灯設定信号を点灯及び消灯にそれぞれ対応するタイミングで生成及び送信する。
【００７２】
閾値設定部１５２は、点灯設定信号の受信の有無を判別し、受信された場合には点灯設定信号の受信時の検出電圧を点灯閾値に設定し、この点灯閾値をメモリ１５５に記憶する。同様に、閾値設定部１５２は、消灯設定信号の受信の有無を判定し、受信された場合には消灯設定信号の受信時の検出電圧を消灯閾値に設定し、この消灯閾値をメモリ１５５に記憶する。
【００７３】
第２の実施形態と同様に、点滅制御部１５３は、点灯状態及び検出電圧の移動方向を判別する。そして、点滅制御部１５３は、消灯中に現検出電圧が低下して点灯閾値以下となった時点で駆動部１４にＬＥＤ１０を点灯させ、点灯中に現検出電圧が上昇して消灯閾値を超えた時点で駆動部１４にＬＥＤ１０を消灯させる。また、環境照度の減少に対して検出電圧が増加する構成の場合には、点滅制御部１５３は、消灯中に現検出電圧が上昇して点灯閾値以上となった時点で駆動部１４にＬＥＤ１０を点灯させ、点灯中に現検出電圧が低下して消灯閾値未満となった時点で駆動部１４にＬＥＤ１０を消灯させる。また、消灯閾値が点灯閾値よりも高い場合には、点滅制御部１５３による点滅動作においてヒステリシス特性が得られているので、点滅制御部１５３は点灯状態及び検出電圧の移動方向を判別することなく、現検出電圧と点灯閾値／消灯閾値との比較によってＬＥＤ１０の点灯／点滅を実行することができる。
【００７４】
外部設定装置２においては、点灯に対応するタイミングでの入力部２１からのトリガ入力に応じて処理部２０が点灯設定信号を生成し、送信部２２が点灯設定信号を照明装置１に無線送信する。同様に、消灯に対応するタイミングでの入力部２１からのトリガ入力に応じて処理部２０が消灯設定信号を生成し、送信部２２が消灯設定信号を照明装置１に無線送信する。トリガ入力は、ユーザ入力により手動的に行われてもよいし、処理部２０内に保持される暦（日の入り時刻、日の出時刻等）のデータ及び現日時に基づいて自動的に行われてもよい。
【００７５】
本実施形態においても、初回点灯及び初回消灯用にそれぞれのデフォルトの点灯閾値及び消灯閾値が予めメモリ１５５に記憶されていればよい。あるいは、初回点灯及び初回消灯時に限り、点滅制御部１５３が点灯設定信号及び点灯消灯信号の受信に応じてＬＥＤ１０を点灯及び消灯させるようにしてもよい。
【００７６】
図５に、照明装置１の動作の一例のフローチャートを示す。なお、電圧取得部１５１は、現検出電圧を逐次取得しているものとする。また、初回点灯の場合には、点滅制御部１５３は、デフォルトの点灯閾値／消灯閾値に従って点灯／消灯を行うものとする。
【００７７】
ステップＳ２５において、閾値設定部１５２が、点灯設定信号の受信の有無を判別する。点灯設定信号が受信された場合（ステップＳ２５、Ｙｅｓ）、処理はステップＳ２６に進み、それ以外の場合（ステップＳ２５、Ｎｏ）、処理はステップＳ３０に進む。
【００７８】
ステップＳ２６において、閾値設定部１５２が、点灯設定信号の受信時の検出電圧を点灯閾値に設定し、この点灯閾値をメモリ１５５に記憶させる。これにより、閾値設定部１５２は、デフォルトの点灯閾値、又は以前のステップＳ２６で決定された点灯閾値を、今回のステップＳ２６において決定された点灯閾値に更新する（すなわち、メモリ１５５を書き換える）。そして、処理はステップＳ３０に進む。
【００７９】
ステップＳ３０において、閾値設定部１５２が、消灯設定信号の受信の有無を判別する。消灯設定信号が受信された場合（ステップＳ３０、Ｙｅｓ）、処理はステップＳ３１に進み、それ以外の場合（ステップＳ３０、Ｎｏ）、処理はステップＳ３５に進む。
【００８０】
ステップＳ３１において、閾値設定部１５２が、消灯設定信号の受信時の検出電圧を消灯閾値に設定し、この消灯閾値をメモリ１５５に記憶させる。これにより、閾値設定部１５２は、デフォルトの消灯閾値、又は以前のステップＳ３１で決定された消灯閾値を、今回のステップＳ３１において決定された消灯閾値に更新する（すなわち、メモリ１５５を書き換える）。そして、処理はステップＳ３５に進む。
【００８１】
ステップＳ３５以降の処理は、第３の実施形態に示したものと同様である。すなわち、ＬＥＤ１０が消灯状態にある場合（ステップＳ３５、Ｙｅｓ）、処理はステップＳ４０に進み、ＬＥＤ１０が点灯状態にある場合（ステップＳ３５、Ｎｏ）、処理はステップＳ５０進む。現検出電圧が低下して点灯閾値以下となった場合（ステップＳ４０及びＳ４１、Ｙｅｓ）、ステップＳ４２においてＬＥＤ１０が点灯される。現検出電圧が上昇して点灯閾値を超えた場合（ステップＳ５０及びＳ５１、Ｙｅｓ）、ステップＳ５２においてＬＥＤ１０が消灯される。上記以外の場合並びにステップＳ４２及びＳ５２の後、処理はステップＳ２５に戻る。
【００８２】
なお、上記フローチャートから分かるように、点灯設定信号による点灯閾値及び消灯設定信号による消灯閾値の更新はＬＥＤ１０の消灯中又は点灯中に実行される。更新された点灯閾値及び消灯閾値は、それぞれ次回の点灯時及び消灯時から有効となる。
【００８３】
以上のように、本実施形態の照明装置１によると、閾値設定部１５２が、点灯設定信号の受信時の検出電圧を点灯閾値に設定し、消灯設定信号の受信時の検出電圧を消灯閾値に設定する。そして、点滅制御部１５３は、現検出電圧が低下して点灯閾値以下となった時点でＬＥＤ１０を点灯させ、現検出電圧が上昇して消灯閾値を超えた時点でＬＥＤ１０を消灯させる。これにより、上記第３の実施形態で得られる有利な効果に加えて、点灯タイミングと消灯タイミングをそれぞれ最適なタイミングに設定することが可能となり、照明装置１の設置環境に対応して柔軟な点灯／消灯タイミングの設定が可能となる。
【００８４】
また、本実施形態の代替実施例として、設定信号が点灯設定信号又は消灯設定信号のいずれか一方からなる構成としてもよい。設定信号が点灯設定信号からなる場合には、閾値設定部１５２は、点灯設定信号の受信時の検出電圧を点灯閾値に設定するとともに点灯閾値に基づいて消灯閾値を設定する。一方、設定信号が消灯設定信号からなる場合には、閾値設定部１５２は、消灯設定信号の受信時の検出電圧を消灯閾値に設定するとともに消灯閾値に基づいて点灯閾値を設定する。いずれの場合でも、点滅制御部１５３の動作は上述のものと同様である。また、いずれの場合においても、点灯閾値と消灯閾値とは、所定の差分、所定の割合、又は他の何らかの関数によって相互に定義されればよい。これにより、各照明装置１が受信すべき設定信号が半減され、通信制御構成が更に簡素化される。
【００８５】
＜第５の実施形態＞
図６に、第５の実施形態による照明装置１−１〜１−ｎ（ｎ≧２）及びそれを含む照明システム４のブロック図を示す。なお、第１〜４の実施形態で示した構成要素と実質的に同様の構成要素には同様の符号を付し、その重複する説明を省略する。
【００８６】
照明システム４は、照明装置１−１〜１−ｎ及び外部設定装置２を含み、照明装置１−１〜１−ｎの各々は第１の実施形態で示した照明装置１と実質的に同様の構成を有する。以降の説明において、照明装置１−１〜１−ｎを総称して、又はその一部を代表して照明装置１というものとする。各照明装置１と外部設定装置２とは無線通信接続される。この無線通信は、電波、赤外線、可視光等によるもの、特定小電力無線等の汎用的な通信方式であればよい。
【００８７】
外部設定装置２は少なくとも処理部２０、入力部２１、送信部２２、記憶部２３を備える。上記各実施形態と同様に、処理部２０（信号生成部２０２）が設定信号を生成し、送信部２２がこの設定信号を各照明装置１に無線送信する。この無線送信は、通信リンクへのブロードキャストによるものであってもよいし、照明装置１−１〜１−ｎを指定したマルチキャストによるものであってもよい。外部設定装置２は、管理施設等に設置された通信制御端末であってもよいし、専用リモコン、ノートパソコン、携帯情報端末等の可搬の通信制御端末であってもよい。
【００８８】
設定信号は、第１及び第２の実施形態で示した相関データ信号であってもよいし、第３及び第４の実施形態で示したタイミング信号であってもよい。タイミング信号が、第３の実施形態で示したような１つの動作閾値を決定するための信号である場合、点灯又は消灯に対応するタイミングで設定信号の生成及び送信が行われる。タイミング信号が、第４の実施形態で示したような点灯設定信号及び消灯設定信号からなる場合、点灯に対応するタイミングで点灯設定信号の生成及び送信が行われ、消灯に対応するタイミングで消灯設定信号の生成及び送信が行われる。設定信号が相関データ信号であってもタイミング信号であっても、その生成及び送信のタイミングは、外部設定装置２のオペレータによる入力部２１からのマニュアル入力で決定されてもよいし、後述するように処理部２０の校正管理部２０１において決定されてもよい。
【００８９】
以上のように、本実施形態の照明システム４は、照明装置１−１〜１−ｎと、設定信号を送信する外部設定装置２を備える。これにより、複数の照明装置１が配列される場合においても、設定信号により各照明装置１の照度センサ１１の点灯／消灯タイミングを設定又は調整することが可能となる。また、設定信号がタイミング信号である場合、設定信号により各照明装置１の照度センサ１１の実質的感度を一致させることができるので、照明装置１間における照度センサ１１の感度ばらつき又は照明装置１間の設置環境の相異にかかわらず、点灯／消灯タイミングを所望のタイミングに一致させることが可能となる。また、外部設定装置２において、設定信号は一度送信されれば、その後は非常に低い頻度で再送信されればよい。したがって、照明装置１及び照明システム４は、通信トラフックの過度な増大をもたらすことはなく、設定信号の送信源の常設を必要としない。このように、通信構成の簡素化が実現される。
【００９０】
また、本実施形態の追加実施例として、設定信号がタイミング信号である場合でかつ外部設定装置２が管理施設等の定点に配置される場合、外部設定装置２が基準照度センサ２４を備え、処理部２０が校正管理部２０１及び信号生成部２０２を備えていてもよい。基準照度センサ２４は定点設置され、外部設定装置２の周辺（例えば、上空）の環境照度を検出し、検出照度を出力する。
【００９１】
校正管理部２０１は、カレンダー機能又は日数カウント機能を有し、所定日に、又は所定日数ごとに、基準照度センサ２４の検出照度に基づいて各照明装置１における動作閾値を校正又は更新する。校正管理部２０１は、カレンダー機能において決定された指定日、又は日数カウント機能において決定された指定日数ごとに信号生成部２０２を作動させる。なお、指定日とは、例えば、毎月の指定日（毎月１０日等）、隔月の指定日、季節ごとの指定日（春分、夏至、秋分、冬至等）、半年に一度の指定日、年に一度の指定日等であればよい。また、指定日数は、３０日、９０日、３６５日等の日数であればよい。
【００９２】
信号生成部２０２は、基準照度センサ２４によって検出される検出照度が基準点灯照度を下回った時点で点灯設定信号を生成し、基準消灯照度を超えた時点で消灯設定信号を生成する。これにより、各設定信号を受信した各照明装置１のメモリ１５５における動作閾値が書き換えられ、校正処理が実行される。基準点灯照度と基準消灯照度とは同じである場合、外部設定装置２の制御構成が簡素化される。
【００９３】
このような定期的又は周期的な校正処理によって、照明装置１間における照度センサ１１の経時的な感度変化、センサ表面の汚れ、設置環境の変化（例えば、照度センサ１１付近に樹木が茂った場合、樹木が伐採された場合、ビルが取り壊された場合、又はビルが建設された場合）等に起因する点灯／消灯タイミングのずれが校正される。
【００９４】
＜第６の実施形態＞
上記第５の実施形態では、外部設定装置２が個別の通信制御端末である構成を示したが、本実施形態では、外部設定装置２が照明装置１とともに設置された基準照明装置である構成を示す。
【００９５】
図７に、本実施形態の照明システム４を示す。本実施形態の照明システム４は、照明装置１−２〜１−ｎを有し、第５の実施形態における照明装置１−１の代わりに、照明装置を兼ねた外部設定端末２としての基準照明装置３が設けられる。なお、第５の実施形態で示した構成要素と実質的に同様の構成要素には同様の符号を付し、その重複する説明を省略する。
【００９６】
基準照明装置３は、ＬＥＤ１０、照度センサ１１及び電源装置１２を備え、電源装置１２は、駆動部１４、制御部１５及び送信部３２を備える。制御部１５は、例えばマイコンからなり、ＣＰＵ１５０、Ａ／Ｄ変換部１５４及びメモリ１５５を備える。ＣＰＵ１５０は、基準取得部３５１、校正管理部３０１、信号生成部３０２及び点滅制御部３０３を備え、これらの各部及びメモリ１５５はバスＢによって相互に信号又はデータのやりとりが可能な態様で接続される。
【００９７】
本実施形態における設定信号は、第３及び第４の実施形態で示したようなタイミング信号である。以下においては、第４の実施形態で示したタイミング信号（点灯閾値及び消灯閾値）を用いる構成を示すが、第３の実施形態で示したタイミング信号（１つの動作閾値）を用いる構成も適用可能である。
【００９８】
基準照明装置３の照度センサ１１は、第５の実施形態の外部設定端末２における基準照度センサ２４と実質的に同様の役割を有する。したがって、以降において、基準照明装置３の照度センサ１１を特に基準照度センサ１１という。基準取得部３５１は、基準照度センサ１１によって検出される検出照度を取得する（厳密には、電圧取得部１５１と同様に、Ａ／Ｄ変換部１５４によって電圧信号からＡ／Ｄ変換された検出電圧を取得する）。また、信号生成部３０２及び送信部３２は、第５の実施形態の外部設定端末２における信号生成部２０２及び送信部２２と実質的に同じ機能を有する。すなわち、信号生成部３０２は、検出照度が基準点灯照度以下となった時点で設定信号を生成し、又は検出照度が基準消灯照度を超えた時点で設定信号を生成し、生成された設定信号を送信部３２が各照明装置１に送信する。
【００９９】
校正管理部３０１は、点滅回数カウント機能、日数カウント機能又はカレンダー機能を有し、周期的又は定期的に信号生成部３０２を作動させることができる。この場合、校正管理部３０１は、点灯設定信号又は消灯設定信号が生成されてからの基準照明装置３のＬＥＤ１０の点灯回数又は消灯回数が指定回数に到達した場合に信号生成部３０２を作動させ、あるいは第５の実施形態と同様に所定日又は所定日数ごとに信号生成部３０２を作動させる。なお、点滅回数と日数とは実質的に対応するものであるから、点灯回数カウント機能及び日数カウント機能は、制御部１５に設けられたカウンタによって点滅回数を計数することによって実現される。
【０１００】
上記のようにして作動された信号生成部３０２及び送信部３２によって各設定信号が生成及び送信されると、各設定信号を受信した各照明装置１のメモリ１５５における動作閾値が書き換えられ、校正処理が実行される。このような周期的又は定期的な校正処理によって、照明装置１間における照度センサ１１の経時的な感度変化、センサ表面の汚れ、設置環境の変化等に起因する点灯／消灯タイミングのずれが校正される。
【０１０１】
あるいは、校正管理部３０１は、初回点灯時及び初回消灯時にのみ信号生成部３０２を作動させるようにしてもよい。逆に、校正管理部３０１を設けずに、信号生成部３０２が常時（毎日）作動するようにしてもよい。ここで、仮に基準照明装置３と照明装置１との通信が不通となる日があったとしても、照明装置１は、前日にメモリ１５５に記憶された動作閾値に基づいて点灯／消灯を行うことができ、実用における不都合（不点、不消灯など）は発生しない。また、通信は一群の照明装置１が配置される所定範囲内に限られるので、通信トラフィックが通信網に与える影響も小さい。
【０１０２】
点滅制御部３０３は、基準照度センサ１１によって検出される検出照度が基準点灯照度以下の場合にはＬＥＤ１０を点灯させ、検出照度が基準消灯照度を超える場合にＬＥＤ１０を消灯させるように駆動部１４を制御する。基準照明装置３における制御構成の簡素化のために、基準点灯照度と基準消灯照度とは等しくてもよい。これにより、照明装置１−２〜１−ｎ及び基準照明装置３の点灯／消灯タイミングが一致することになる。
【０１０３】
以上のように、本実施形態の照明システム４によると、外部設定装置２が基準照明装置３であり、基準照明装置３は、少なくとも、自装置のＬＥＤ１０の照射範囲外の環境照度を検出する基準照度センサ１１と、基準照度センサ１１によって検出される検出照度を取得する基準取得部３５１と、検出照度が基準点灯照度以下となる時点又は基準消灯照度を超える時点で設定信号を生成する信号生成部３０２と、設定信号を照明装置１−２〜１−ｎに送信する送信部３２と、検出照度が基準点灯照度以下である場合に自装置のＬＥＤ１０を点灯させ、検出照度が基準消灯照度を超える場合に自装置のＬＥＤ１０を消灯させるように構成された点滅制御部３０３を備える。これにより、照明装置のみで照明システム４が構成されるので、上記第５の実施形態で得られる有利な効果に加えて、照明システムの導入及び敷設が容易となる。
【０１０４】
＜変形例＞
以上に本発明の好適な実施形態を示したが、本発明は、例えば以下に示すように種々の態様に変形可能である。
【０１０５】
（１）光源
上記各実施形態においては、照明装置１の光源としてＬＥＤ１０を示したが、光源は、ＬＥＤに限られず、放電灯（例えば、蛍光灯、高圧放電灯、水銀灯）等の他の種類の光源であってもよい。
【０１０６】
（２）段調光又は連続調光
上記各実施形態では、ＬＥＤ１０の点灯が全光点灯であるものとして説明したが、ＬＥＤ１０が段調光又は連続調光される構成にも本発明は適用可能である。例えば、点灯開始後に、点滅制御部１５３（及び３０３）が駆動部１４にＬＥＤ１０を調光点灯させ、その後連続的又は段階的にＬＥＤ１０の出力を増加させて全光点灯とするようにしてもよい。
【０１０７】
また、動作閾値の数は１又は２に限られず、３以上であってもよい。例えば、４個の動作閾値を設け、ＬＥＤ１０が消灯した状態から、検出電圧が第１の動作閾値以下となった時点でＬＥＤ１０が調光点灯され、第２の動作閾値以下となった時点でＬＥＤ１０が全光点灯され、その後検出電圧が第３の動作閾値を超えた時点でＬＥＤ１０が再度調光点灯され、第４の動作閾値を超えた時点でＬＥＤ１０が消灯されるようにしてもよい。このような３以上の動作閾値は相関データ信号に基づいて決定されてもよいし、タイミング信号に基づいて決定されてもよい。
【符号の説明】
【０１０８】
１、１−１〜１−ｎ  照明装置
２  外部設定装置
３  基準照明装置
４  照明システム
１０  ＬＥＤ
１１  照度センサ
１２  電源装置
１３  受信部
１４  駆動部
１５  制御部（マイコン）
２０  処理部
２１  入力部
２２、３２  送信部
２３  記憶部
２４  基準照度センサ
１５０  ＣＰＵ
１５１  電圧取得部
１５２  閾値設定部
１５３、３０３  点滅制御部
１５４  Ａ／Ｄ変換部
１５５  メモリ
２０１、３０１  校正管理部
２０２、３０２  信号生成部
３５１  基準取得部
【図１】
2017091766.tif 000003
【図２】
2017091766.tif 000004
【図３】
2017091766.tif 000005
【図４】
2017091766.tif 000006
【図５】
2017091766.tif 000007
【図６】
2017091766.tif 000008
【図７】
2017091766.tif 000009